(57)【特許請求の範囲】
【請求項１】
ＣＡＴＶ施設で使用する通信システムのセンター側機器のうち、データ通信に必要な機器を屋外設置が可能な筐体内に実装して、端末モデムとの間でデータ通信可能としたセンターモデムであり、一つの筐体に下りデータ信号が入力され上りデータ信号が出力される入出力端子（１２）と、上りデータ信号が入力され下りデータ信号が出力される入出力端子（１３）を備え、その筺体内に、ＣＡＴＶ施設で使用する通信システムのセンター側機器のうち、下りデータ信号及び上りデータ信号に対してヘッダー情報の付加やその他の加工を実行可能なＣＰＵユニット（２１）と、下りデータ信号を変調し、上りデータ信号を復調するＲＦユニット（２２）と、変調された下りデータ信号の周波数を任意の周波数に変換するアップコンバータ（１９）と、周波数変換された下りデータ信号は同軸入出力端子（１３）へ出力し、同軸入出力端子（１３）から入力された上りデータ信号はＲＦユニットへ出力するＤＦ（Diplex Filter）部（２０）とが内蔵されて、端末モデムとの間でデータ通信可能としたことを特徴とするセンターモデム。
【請求項２】
一方の入出力端子（１２）から入力された下りデータ信号（光信号）を電気信号に変換してＣＰＵユニット（２１）へ出力すると共に、他方の入出力端子（１３）から入力されてＣＰＵユニット（２１）から出力された上りデータ信号（電気信号）を光信号に変換して同入出力端子（１２）へ出力するメディアコンバータ（１８）が、同一の筐体内に収容されたことを特徴とする請求項１記載のセンターモデム。
【請求項３】
ＣＡＴＶ信号等の下り信号が入力可能な下り入力端子（１４）を同一の筺体に備え、その下り入力端子（１４）に入力された下り信号が、入出力端子（１２）から入力される下りデータ信号と混合されて出力されることを特徴とする請求項１又は請求項２記載のセンターモデム。
【請求項４】
入出力端子（１２）から入力された下りデータ信号の一部を取り出し可能な下りモニタ端子（１６）と、上りデータ信号の一部を取り出し可能な上りモニタ端子（１７）の双方又は一方を同一の筺体に備えたことを特徴とする請求項１乃至請求項３のいずれかに記載のセンターモデム。
【請求項５】
ＣＰＵユニット（２１）が、端末モデムから入力された上りデータ信号に含まれる宛先アドレスと、予めメモリ上に書き込まれているアドレスとを照合し、アドレスが一致する場合には信号を転送せず、不一致の場合には転送する手段を備えたことを特徴とする請求項１乃至請求項４のいずれかに記載のセンターモデム。
【請求項６】
ＣＰＵユニット（２１）が、ＩＰ網と端末モデムとの間に設けられて、上位プロバイダーに接続するためのユーザー名やパスワード等を設定することができ、このユーザー名やパスワード等を基に上位プロバイダーに対してユーザー認証を行うと共に、上位プロバイダーからグローバルＩＰアドレスを取得し、取得したグローバルＩＰアドレスをプライベートＩＰアドレスに変換し、このアドレスを使用して、上位プロバイダーと端末モデムとのデータ通信を可能とした手段を備えたことを特徴とする請求項１乃至請求項５のいずれかに記載のセンターモデム。
【請求項７】
ＣＰＵユニット（２１）が、ＣＡＴＶシステムの加入者宅の端末モデムを管理するセンターモデム機能を有することを特徴とする請求項１乃至請求項６のいずれかに記載のセンターモデム。
【請求項８】
請求項１乃至請求項７のいずれかに記載のセンターモデムと、それに接続された端末モデムとの間でデータ通信を可能としたことを特徴とするモデムシステム。
【請求項９】
センター局と加入者宅とがノードを介して接続された光・同軸ハイブリッド（HFC:Hybrid Fiber Coaxial）方式のＣＡＴＶシステムにおいて、センター局がセンターモデム機能を有さず、全てのノードもしくは一部のノードが請求項７記載のセンターモデムを備えたことを特徴とするＣＡＴＶシステム。
【請求項１０】
センター局と加入者宅とがノードを介して接続されたＨＦＣ方式のＣＡＴＶシステムにおいて、センターモデム機能を有さないセンター局が、それらセンターモデム機能を有さないノードに接続され、前記ノードが前記センターモデム機能を有する２以上のノードに接続され、センターモデム機能を有する前記各ノードが多数の加入者宅に接続されていることを特徴とするＣＡＴＶシステム。
【請求項１１】
センター局と加入者宅とがノードを介して接続されたＣＡＴＶシステムにおいて、センター局のセンターモデム機能を使用することなく、前記ノードに請求項１乃至請求項７のいずれかに記載のセンターモデムを接続して、該ノードにセンターモデム機能を付与したことを特徴とするＣＡＴＶシステム。
【請求項１２】
センターモデム機能を有するノードが屋外に設置されていることを特徴とする請求項９乃至請求項１１のいずれかに記載のＣＡＴＶシステム。
【請求項１３】
センター局と２以上のノードの全部又は一部とが光ファイバケーブルの空き線を利用して接続されたことを特徴とする請求項９乃至請求項１２のいずれかに記載のＣＡＴＶシステム。
【請求項１４】
請求項９乃至請求項１３のいずれかに記載にＣＡＴＶシステムを構成するＣＡＴＶシステム用ノードが、請求項１乃至請求項７のいずれかに記載のセンターモデムを包含することを特徴とするＣＡＴＶシステム用ノード。
【発明の詳細な説明】
【０００１】
【発明の属する技術分野】
本発明は、データ通信用のセンターモデム、センターモデムと端末機器（端末モデム）間でデータ通信用可能なモデムシステム、そのセンターモデムを使用したＣＡＴＶシステム及びデータ通信システムに関するものである。
【０００２】
【従来の技術】
従来、ＣＡＴＶシステムを利用して情報通信又はデータ通信を行う場合は、図５に示すように、センター局Ａから多数の光ファイバケーブルＢをタコ足状に放出し、加入者宅Ｃに設置されている端末モデム（図示しない）とセンター局ＡとをノードＤを介して接続している。センター局Ａには、各ノードＤごとにセンターモデムＥを配置し、夫々のノードＤを介して接続された端末モデムを管理している。ここで、１個のノードに接続される加入者宅数（世帯数）を１０００〜２０００世帯程度に制限し、ノード１個あたりの世帯数が２０００を超える場合は、ノードを新設するのが一般的である。その理由は、各ノード毎の上り・下りの信号の周波数を特定値とすることによって、各世帯から発生する雑音等が流合雑音として上り信号に混合することを回避しているが、これにも限界があり、世帯数が多くなり過ぎると、流合雑音の低減が不可能になるからである。
【０００３】
また、ＣＡＴＶシステムを利用して情報通信又はデータ通信を行うために必要な各種機器（サーバー、ルータ、アップコンバータ等）はセンター局内に個別に設置されていた。
【０００４】
【発明が解決しようとする課題】
（１）センター局では、１個又は数個のノードに対して１個のセンターモデムが対応する構成になっているため、ノード数が増加するとセンターモデムを増設する必要があった。
（２）センター局では、複数のセンターモデムをまとめて管理しているが、いずれかのノードで不具合が発生すると、センター局内でこれに対応するには限度があり、メンテナンス業務を含むと、システムの維持管理に限界があった。これは、大型のホストコンピュータ１台で、全端末器を管理運営するシステムのようなもので、端末器の数が増えるとシステム全体の維持が困難になるのと良く似た状況であった。
（３）従来のセンターモデムは、温度、湿度等の影響を考慮して、屋内用として製作されていたため、その設置場所は屋内に制限されていた。
（４）データ通信に必要な機器が個別に設置されているため、ネットワークの変更や増設等の作業が煩雑であった。
（５）各種機器は高機能・高価格であるため、初期導入費用が高く、小規模施設への導入が困難であった。
（６）データ通信に必要な機器は屋内設置を前提として開発されているため、環境条件の厳しい場所には設置できなかった。
【０００５】
【課題を解決するための手段】
本発明は前記課題に鑑みてなされたものであり、その目的は前記課題を解決することにある。
【０００６】
本発明のセンターモデムは、ＣＡＴＶシステムを利用してデータ通信を行うために必要な各種機器を一つの筐体内に収容したものである。より詳しくは、ＣＡＴＶ施設で使用する通信システムのセンター側機器のうち、データ通信に必要な機器を屋外設置が可能な筐体内に実装して、端末モデムとの間でデータ通信可能としたセンターモデムであり、一つの筐体に下りデータ信号が入力され上りデータ信号が出力される入出力端子１２と、上りデータ信号が入力され下りデータ信号が出力される入出力端子１３を備え、その筺体内に、ＣＡＴＶ施設で使用する通信システムのセンター側機器のうち、下りデータ信号及び上りデータ信号に対してヘッダー情報の付加やその他の加工を実行可能なＣＰＵユニット２１と、下りデータ信号を変調し、上りデータ信号を復調するＲＦユニット２２と、変調された下りデータ信号の周波数を任意の周波数に変換するアップコンバータ１９と、周波数変換された下りデータ信号は同軸入出力端子１３へ出力し、同軸入出力端子１３から入力された上りデータ信号はＲＦユニットへ出力するＤＦ（Diplex Filter）部２０とが内蔵されて、端末モデムとの間でデータ通信可能としたものである。この筺体内には、一方の入出力端子１２から入力された下りデータ信号（光信号）を電気信号に変換してＣＰＵユニット２１へ出力すると共に、他方の入出力端子１３から入力されてＣＰＵユニット２１から出力された上りデータ信号（電気信号）を光信号に変換して同入出力端子１２へ出力するメディアコンバータ１８を収容することもできる。この筺体に、ＣＡＴＶ信号等の下り信号が入力可能な下り入力端子１４を設けて、その下り入力端子１４に入力された下り信号が、入出力端子１２から入力される下りデータ信号と混合されて出力されるようにすることもできる。前記筺体に、入出力端子１２から入力された下りデータ信号の一部を取り出し可能な下りモニタ端子１６と、上りデータ信号の一部を取り出し可能な上りモニタ端子１７の双方又は一方を設けることもできる。前記ＣＰＵユニット２１を、端末モデムから入力された上りデータ信号に含まれる宛先アドレスと、予めメモリ上に書き込まれているアドレスとを照合し、アドレスが一致する場合には信号を転送せず、不一致の場合には転送する手段を備えたものとすることができる。ＣＰＵユニット２１を、ＩＰ網と端末モデムとの間に設けられて、上位プロバイダーに接続するためのユーザー名やパスワード等を設定することができ、このユーザー名やパスワード等を基に上位プロバイダーに対してユーザー認証を行うと共に、上位プロバイダーからグローバルＩＰアドレスを取得し、取得したグローバルＩＰアドレスをプライベートＩＰアドレスに変換し、このアドレスを使用して、上位プロバイダーと端末モデムとのデータ通信を可能とした手段を備えることもできる。更に、ＣＰＵユニット２１に、ＣＡＴＶシステムの加入者宅の端末モデムを管理するセンターモデム機能を備えることもできる。
【０００７】
本発明のモデムシステムは、前記いずれかのセンターモデムと、それに接続された端末モデムとの間でデータ通信を可能としたものである。
【０００８】
本発明のＣＡＴＶシステムは、センター局に端末モデムを管理するセンターモデム機能を負担させず、各ノードにセンターモデム機能を分担して負担させるものである。より詳しくは、センター局と加入者宅とがノードを介して接続された光・同軸ハイブリッド（HFC:Hybrid Fiber Coaxial）方式のＣＡＴＶシステムにおいて、センター局がセンターモデム機能を有さず、全てのノードもしくは一部のノードが、前記した、ＣＡＴＶシステムの加入者宅の端末モデムを管理するセンターモデム機能を備えセンターモデムを備えたものである。ＣＡＴＶシステムは、センターモデム機能を有さないセンター局が、それらセンターモデム機能を有さないノードに接続され、前記ノードが前記センターモデム機能を有する２以上のノードに接続され、センターモデム機能を有する前記各ノードが多数の加入者宅に接続されたものとすることもできる。センター局と加入者宅とがノードを介して接続されたＣＡＴＶシステムにおいて、センター局がセンターモデム機能を使用することなく、ノードに前記いずれかのセンターモデムを接続して、そのノードにセンターモデム機能を付与することもできる。センターモデム機能を有するノードを屋外に設置することもできる。センター局と２以上のノードの全部又は一部とが光ファイバケーブルの空き線を利用して接続することもできる。
【０００９】
本発明のＣＡＴＶシステム用ノードは、前記本発明のＣＡＴＶシステムを構成するノードであって、前記センターモデムを備えたものである。
【００１０】
【発明の実施の形態】
（実施形態１）
本発明のＣＡＴＶシステムの実施形態の一例を図１に示す。図１に示すシステムは、センター局１と多数の加入者宅２（より詳しくは、加入者宅２に設置されている端末装置であり、図１にはＰＣ３a及びＴＶ３bを例示した）とを２以上のノード４を介して接続したＨＦＣ方式のＣＡＴＶシステムである。尚、加入者宅とは、戸建住宅や集合住宅等の各種住宅に限定して解釈されるものではなく、工場、オフィス、学校、病院その他の施設を全て含む。
【００１１】
図１に示すセンター局１は、従来のセンター局と同様の機能を備えているが、各加入者宅２のＰＣ３aに接続されている端末モデム５を管理するセンターモデム機能は備えていない。一方、図１に示す各ノード４には、本発明のセンターモデム６及び光送受信機７が配置されており、センターモデム６と前記各端末モデム５との間でデータ通信が可能であると共に、センター局１から配信されるＣＡＴＶ信号を下りデータ信号に混合して各加入者宅２に配信可能である。即ち、各ノード４は、従来のノードの機能に加えてセンターモデム機能を備えており、従来のセンター局が負担していたセンターモデム機能を複数のノード４が分担して負担している。また、各ノード４において、センターモデム６と各端末モデム５との間にケーブルモデムシステムが構築されている。尚、各ノード４は、センター局１の外に設置されており、例えば、図２に示すように屋外の柱上に設置されている。
【００１２】
図１に示す各ノード４に配置された本発明のセンターモデム６の一例を図３に示す。このセンターモデム６は、本体１０とこれに開閉可能に取付けられた蓋（図示しない）からなるアルミダイカスト製の筐体１１に必要端子を設けると共に、その筐体１１内に必要機器を収容したものである。具体的には、本体１０に光入出力端子１２、同軸入出力端子１３、下り入力端子１４、個別給電端子１５、下りモニタ端子１６及び上りモニタ端子１７が設けられている。また、同本体１０には、メディアコンバータ１８、アップコンバータ１９、ＤＦ（Diplex Filter）部２０が収容されている。さらに、前記蓋には、ＣＰＵユニット２１、ＲＦユニット２２、ＡＶＲ（Automatic Voltage Regulator）２３が収容されている。
【００１３】
図１のＩＰ網からセンター局を通して端末モデム５へ転送される下りデータ信号（光信号）は、図３に示す光入出力端子１２からノードのセンターモデム６に入力され、センターモデム６のメディアコンバータ１８に入力される。メディアコンバータ１８に入力された下りデータ信号は、該コンバータ１８によってベースバンドの電気信号に変換され、ＣＰＵユニット２１へ出力される。ＣＰＵユニット２１へ入力された下りデータ信号は、該ユニット２１においてヘッダー情報の付加をはじめとする各種加工を受けた後にコンパクトＰＣＩバスを経由してＲＦユニット２２に入力される。ＲＦユニット２２に入力された下りデータ信号は、該ユニット２２において所定のデジタル変調（例えば、６４ＱＡＭ変調や２５６ＱＡＭ変調）を受けた後に、アップコンバータ１９へ出力される。アップコンバータ１９に入力された下りデータ信号は、該コンバータ１９においてその周波数が任意の周波数に変換され、ＤＦ部２０を経由して同軸入出力端子１３から出力される。該センターモデム６から出力された下りデータ信号は、同軸ケーブルによって所定の端末モデム５まで伝送される。尚、ＣＰＵユニット２１とＲＦユニット２２との間の信号の受け渡しには、必ずしもコンパクトＰＣＩバスを利用する必要はない。
【００１４】
図１に示す端末モデム５からＩＰ網に転送される上りデータ信号（電気信号）は、図３に示す同軸入出力端子１３から該センターモデム６に入力され、ＤＦ部２０を経由してＲＦユニット２２へ出力される。ＲＦユニット２２に入力された上りデータ信号は、該ユニット２２においてベースバンドの電気信号に復調され、コンパクトＰＣＩバスを経由してＣＰＵユニット２１に入力される。ＣＰＵユニット２１に入力された上りデータ信号は、該ユニット２１においてヘッダー情報の付加を始めとする各種加工を受け、メディアコンバータ１８へ出力される。メディアコンバータ１８に入力された上りデータ信号は、該コンバータ１８において光信号に変換され、光入出力端子１２から出力される。該センターモデム６から出力された上りデータ信号は、図１に示す光ファイバケーブルを介してセンター局１へ伝送される。
【００１５】
図３に示すＣＰＵユニット２１は、ユーザー名やパスワード等をチェックしてユーザー認証を行い、上位プロバイダーからグローバルＩＰアドレスを割り振るＰＰＰｏＥ（Point to Point Protocol over Ethernet）機能と、この機能によって割り振られたグローバルＩＰアドレスをプライベートＩＰアドレスに変換するＮＡＴ（Network Address Translation）機能を備えており、これら機能によって上位プロバイダーと端末との通信が実現される。尚、これら２つの機能は、ＣＰＵユニット２１が備えるメモリ上に電子的に格納されたプログラムによって実現される。また、ＣＰＵユニット２１は、ＤＨＣＰ（Dynamic Host Configuration Protocol）サーバー機能、ＴＦＴＰ（Trivial File Transfer Protocol）サーバー機能、ＴｏＤ（Time of Day）サーバー機能の全部又は一部をも備えており、それら機能も前記メモリ上に電子的に格納されたプログラムによって実現される。もっとも、ＤＨＣＰサーバー、ＴＦＴＰサーバー、ＴｏＤサーバーの全部又は一部を備えている既存システムに該センターモデム６を増設する場合は、不要となるサーバー機能、ＰＰＰｏＥ機能、ＮＡＴ機能を停止させることもできる。この場合、既存サーバーのアドレスをＣＰＵユニット２１に登録することによって図１に示す端末モデム５の設定ファイルに反映させ、該端末モデム５にサーバーのアドレスを認識させる。このとき、該センターモデム６はネットワーク上で透過的に動作する。
【００１６】
さらに、図３に示すＣＰＵユニット２１は、ＳＮＭＰ（Simple Network Management Protocol）エージェント機能を有し、予め設定された管理項目や設定項目に関する情報をＭＩＢ（Management Information Base）に対応づけてメモリに格納しており、それら情報の全部又は一部をＳＮＭＰマネージャー機能を有する管理装置に自発的に送信するか、管理装置からの要求に応じて送信する。また、管理装置から送出された設定情報を受信すると、該情報に基づいて設定を変更する。このようなＳＮＭＰエージェント機能は、ＣＰＵユニット２１が備えるメモリ上に電子的に格納されたプログラムによって実現される。これにより、前記管理装置をＩＰ網を介して該センターモデム６にアクセスさせて、該モデム６を遠隔から管理することができる。さらに、汎用プロトコルであるＳＮＭＰを使用しているので、前記管理装置のブラウザ上で該センターモデム６を管理することができる。ここで、該センターモデム６へのアクセスには、ユーザーＩＤ及びパスワードによる認証を条件とすることが望ましい。また、該センターモデム６のファームウェアをアップグレードするときは、ＦＴＰ（File Transfer Protocol）等のプロトコルを使用してアップグレードファイルをＣＰＵユニット２１のメモリに転送することができる。これらの機能は、該センターモデム６（ノード４）が容易に保守を行えない場所（柱上やメッセン共架等）に設置されている場合に特に有効である。
【００１７】
図３に示すＣＰＵユニット２１とＲＦユニット２２は共通のベース基板に実装されており、ＡＶＲ２３からベース基板を介してＣＰＵユニット２１及びＲＦユニット２２へ電源が供給される。また、前記アップコンバータ１９にはＡＶＲ２３から直接電源が供給され、メディアコンバータ１８にはアップコンバータ１９を介して電源が供給される。
【００１８】
図３に示す下りモニタ端子１６は、アップコンバータ１９から出力された下りデータ信号の一部を取り出し可能とした端子である。また、上りモニタ端子１７は、ＤＦ部２０から出力された上りデータ信号の一部を取り出し可能とした端子である。従って、これら端子１６、１７にモニタ装置等を接続することによって下りデータ信号や上りデータ信号の状態をモニタすることができる。
【００１９】
図３に示す下り入力端子１４は、ＣＡＴＶ信号等の広帯域信号を入力可能とした端子であり、本システムでは図１に示す光送受信機７から出力されたＣＡＴＶ信号が入力される。該端子１４から入力されたＣＡＴＶ信号はアップコンバータ１９から出力された下りデータ信号に混合され、同軸入出力端子１３から出力される。同軸入出力端子１３から出力されたＣＡＴＶ信号は図１に示す各加入者宅２に設置されている分配器によって下りデータ信号を分離され、ＴＶ３bに入力される。このように、下り入力端子１４から入力された信号がＤＦ部２０よりアップコンバータ１９側で混合されるようにすれば、同軸入出力端子１３から入力された上り信号や雑音が下り入力端子１４に接続された同軸ケーブルに流入することがないといった利点が得られる。もっとも、下り入力端子１４から入力された信号がＤＦ部２０より同軸入出力端子１３側で混合されるようにすることもできる。この場合、前記利点は失われるが、下り入力端子１４を下り信号入力端子及び上り信号出力端子として利用して双方向ＣＡＴＶシステムを構築できるといった利点が得られる。従って、何れの利点を重視するかによって、下り入力端子１４から入力された信号の混合位置を決定すればよい。
【００２０】
（実施形態２）
本発明のＣＡＴＶシステムの実施形態の他例を図４に示す。このシステムは、２０００戸の加入者宅を５００戸ずつにグループに分けてなる４つの加入者宅群Ａ〜Ｄごとに、図１に示すノード４を一つ配置し、それら４つのノード４a〜４dをセンターモデム機能を具備していない従来のノード（以下「従来ノード３０」）を介してセンター局１に接続したものである。
【００２１】
図４に示す各ノード４a〜４dには図３に示す本発明のセンターモデム６が配置されている。従って、センター局１から配信されるＣＡＴＶ信号は従来ノード３０によって各ノード４a〜４dに振分けられ、各ノード４a〜４dに設置されたセンターモデム６の下り入力端子１４（図３）に入力される。図３に示すセンターモデム６に入力されたＣＡＴＶ信号が各加入者宅群Ａ〜Ｄに属する各加入者宅まで伝送される仕組みについては実施形態１で説明した通りなので、ここでの説明は省略する。
【００２２】
また、図４に示す各ノード４a〜４dに設置された前記センターモデム６は夫々異なるプロバイダーＡ'〜Ｄ'に接続されている。従って、ノード４aに接続された加入者宅群Ａに属する加入者宅に設置されている端末モデムは、該ノード４aに設置されているセンターモデム６を介してプロバイダーＡ'に接続される。加入者宅群Ｂ〜Ｄに属する加入者宅に設置されている端末モデムも、夫々対応するノード４b〜４dに設置されているセンターモデム６を介して対応するプロバイダーＢ'〜Ｄ'に接続される。各プロバイダーＡ'〜Ｄ'と各端末モデムが図３に示すセンターモデム６を介してデータ通信を行う仕組みについては実施形態１で説明した通りなので、ここでの説明は省略する。
【００２３】
（実施形態３）
図３に示した本発明のセンターモデム６では、本体１０に、メディアコンバータ１８、アップコンバータ１９、ＤＦ部２０が収容され、蓋に、ＣＰＵユニット２１、ＲＦユニット２２、ＡＶＲ２３が収容されている。しかし、これら機器を本体１０又は蓋の何れに収容するかは任意に決定することができる。もっとも、冷却効率の観点からは、発熱する機器を蓋に収容することが望ましい。また、これら機器への給電は個別給電ではなく、同軸重畳給電としてもよい。
【００２４】
本発明のセンターモデムには、端末モデム間の通信を制御する手段を設けることができる。具体的には、入力された信号に含まれる宛先ＭＡＣアドレスと、予めＣＰＵユニットのメモリ上に書き込まれているＭＡＣアドレス（該センターモデムが管理している各端末モデムのＭＡＣアドレス）とをＣＰＵユニットにおいて照合し、これが一致する場合には信号を転送せず、不一致の場合には転送する。これによって、該センターモデムによって管理されている端末モデム間での通信が制限される。ＣＡＴＶ伝送路では、該伝送路上を伝送される全ての信号が全ての加入者に到達する可能性があるが、かかる制御手段を備えた本発明のセンターモデムを設置すれば、端末モデム間での通信が制御され、加入者ごとのセキュリティーが確保される。
【００２５】
本発明のセンターモデムには、着脱可能なメモリーカードを設けることができる。該カードの利用形態としては次のような形態が考えられる。メモリーカードに該装置の起動情報や設定情報等を書き込み、これを別の装置で読み出し、読み出された情報に基づいて該装置を起動させたり、設定したりする。尚、メモリーカードへの情報の書き込み、読み出し、読み出し情報に基づく起動、設定等は夫々の装置が備えるＣＰＵユニットによって実行される。
【００２６】
本発明のセンターモデムの筐体は、アルミダイカスト製に限定されない。もっとも、該モデムを屋外に設置する場合は、防水性や防塵性の高い構造とすることが望ましい。
【００２７】
実施形態１又は実施形態２に示したＣＡＴＶシステムのノードに配置されているセンターモデムは、本実施形態に示すセンターモデムに代えることができる。尚、ノードにセンターモデム機能を付与する場合、センター局のセンターモデム機能を使用することなく、上記した本発明のセンターモデムを適宜外付けすればよい。
【００２８】
【発明の効果】
本発明のセンターモデムは次の効果を有する。
（１）ＣＡＴＶシステムを利用してデータ通信を行うために必要な機器が一つの筐体内に収容されているので、該モデム単体でデータ通信を実現することができる。また、必要機器が筐体内にまとめて収容されているので、運用形態の変更等に伴う移設や接続変更等の各種作業が容易となる。さらに、屋外や設置環境が劣悪な場所にも設置可能である。
（２）上位回線と光ファイバケーブルを介して接続可能なので、上位システムへの流合雑音の影響を回避でき、流合雑音が多く運用に支障があった場所でも運用が可能となる。
【００２９】
本発明のモデムシステムは次の効果を有する。
（１）ノード単位でモデムシステムが構築されるので、センター局にセンターモデムを設置した場合に比べ、システムダウンによる影響を受ける範囲が限定される。
【００３０】
本発明のＣＡＴＶシステムは次の効果を有する。
（１）従来は、センター局がセンターモデム機能を担っていた。従って、従来のセンター局にはノードごとのセンターモデムが配置されており、これらを維持管理しなくてはならなかった。これに対し、本発明のＣＡＴＶシステムでは、各ノードがセンターモデム機能を担うので、センター局はセンターモデムの維持管理業務から解放される。これは、大型のホストコンピュータ１台で多くの端末機器を管理運営していた状態から、サーバーにホストコンピュータの機能を付与することによって、コンピュータの大型時代からパソコン時代に移行したように、ＣＡＴＶシステム全体の機能を拡大し、かつ各ノードの機能も拡大することによって、システムの運営管理の向上を図ることができたものである。
（２）流合雑音がセンター局まで上がらず各ノードで終端されるため、従来システムに比べて雑音の影響が少なく安定した通信が可能となる。
（３）センター局外に設置されたノードがセンターモデム機能を有する。従って、センターモデム機能を実現するためにセンター局内に設置されていた各種機器が不要となり、センター局の機器スペースの有効活用が図れる。
【００３１】
本発明のＣＡＴＶシステム用ノードは次の効果を有する。
（１）前記効果を有する本発明のセンターモデムを包含しているので、これと同様の効果を有し、該ノードを用いてＣＡＴＶシステムを構築すれば、前記効果を有する本発明のＣＡＴＶシステムが構築される。
【図面の簡単な説明】
【図１】  本発明のＣＡＴＶシステムの実施形態の一例を示す図。
【図２】  図１に示すノードの設置例を示す図。
【図３】  図１に示すセンターモデムの構成を示す図。
【図４】  本発明のＣＡＴＶシステムの実施形態の他例を示す図。
【図５】  従来のＣＡＴＶシステムの一例を示す図。
【符号の説明】
１  センター局
２  加入者宅
３  端末装置
４  ノード
５  端末モデム
６  センターモデム
７  光送受信機
【図１】
0003660648.tif 000002
【図２】
0003660648.tif 000003
【図３】
0003660648.tif 000004
【図４】
0003660648.tif 000005
【図５】
0003660648.tif 000006